(57)【特許請求の範囲】
【請求項１】
底面の中央部分に、縦断面形状が略台形状である突起部が、底面の中央部分から放射状に複数設けられており、
前記突起部が弾性部材で形成されており、底面に吸着可能となっていることを特徴とする食器皿。
【請求項２】
前記突起部の側面形状が湾曲していることを特徴とする請求項１に記載の食器皿。
【発明の詳細な説明】
【技術分野】
【０００１】
本発明は、食事に使用する食器皿に関し、特にスプーン等で盛り付けられた料理の食べ残しを防止することが可能な食器皿に関する。
【背景技術】
【０００２】
シチューやカレー等に代表される流動的な形態を有する料理、あるいは炒飯やナシゴレン等に代表されるコメを用いた料理等については、スプーン等で食べ残しなく食べることが困難な料理として知られている。食べ残しをしないように、食器皿を持ち上げて口へ流し込むことは可能であるものの、食事のマナーの観点から好ましくなく、特にレストラン等における外食時には行うことができない。
【０００３】
そこで、例えば特許文献１では、食器皿本体の中央にスプーンの形状と類似する凹部(くぼみ)を設けている食器皿が開示されている。特許文献１では、食べ残しを凹部に流し込み、凹部に滞留している食べ残しを確実にスプーンですくい出すことが可能となり、食べ残しを防ぐことが可能となる。
【先行技術文献】
【特許文献】
【０００４】
【特許文献１】実開昭６３−０６４２７４号公報
【発明の概要】
【発明が解決しようとする課題】
【０００５】
しかし、特許文献１では、食器皿の凹部の大きさによって使用することが可能なスプーンの大きさが限定され、凹部よりも大きなスプーンを使用することができないという問題点があった。また、洗浄時に洗剤等が凹部に滞留しやすく、溜まった水分を取り出すことも困難であることから、洗浄後の食器皿を乾かすのに時間がかかり、レストラン等では配膳効率の低下を招くという問題点もあった。
【０００６】
本発明は、上記問題点に鑑みてなされたものであり、スプーンの大きさに左右されず、確実に食べ残しを減少させることが可能な食器皿を提供することを目的とする。
【課題を解決するための手段】
【０００７】
上記目的を達成するために第１発明に係る食器皿は、底面の中央部分に、縦断面形状が略台形状である突起部が、底面の中央部分から放射状に複数設けられており、前記突起部が弾性部材で形成されており、底面に吸着可能となっていることを特徴とする。
【０００８】
第１発明では、底面の中央部分に、縦断面形状が略台形状である突起部が、底面の中央部分から放射状に複数設けられているので、隣接する突起部の間に料理を集めつつスプーン等ですくい上げることができ、食べ残すことなく食事を進めることが可能となる。また、突起部が弾性部材で形成されており、底面に吸着可能となっているので、食事中は上記効果を維持しつつ、洗浄時には突起部を取り外して、洗い残しが生じることなく洗浄することが可能となる。
【０００９】
また、第２発明に係る食器皿は、第１発明において、前記突起部の側面形状が湾曲していることが好ましい。
【００１０】
第２発明では、突起部の側面形状が湾曲しているので、料理を湾曲形状に沿って上方へと移動させることが容易となり、食べ残しを最小限に抑制することが可能となる。
【発明の効果】
【００１３】
本発明では、底面の中央部分に、縦断面形状が略台形状である突起部が、底面の中央部分から放射状に複数設けられているので、隣接する突起部の間に料理を集めつつスプーン等ですくい上げることができ、食べ残すことなく食事を進めることが可能となる。また、突起部が弾性部材で形成されており、底面に吸着可能となっているので、食事中は上記効果を維持しつつ、洗浄時には突起部を取り外して、洗い残しが生じることなく洗浄することが可能となる。
【図面の簡単な説明】
【００１４】
【図１】本発明の実施の形態に係る食器皿の構成を示す平面図及びＡ−Ａ断面図である。
【図２】本発明の実施の形態に係る食器皿の突起部のＢ−Ｂ断面における縦断面形状を示す例示図である。
【図３】本発明の実施の形態に係る食器皿の突起部の他の構成を示す平面図である。
【図４】本発明の実施の形態に係る食器皿の他の構成を示すＡ−Ａ断面図である。
【図５】本発明の実施の形態に係る食器皿の突起部の高さを示すＢ−Ｂ断面図である。
【発明を実施するための形態】
【００１５】
以下、本発明の実施の形態に係る食器皿について、図面を参照して説明する。なお、本実施の形態の説明で参照する図面を通じて、同一又は同様の構成又は機能を有する要素については、同一又は同様の符号を付して、詳細な説明を省略する。
【００１６】
図１は、本発明の実施の形態に係る食器皿の構成を示す平面図及びＡ−Ａ断面図である。図１（ａ）は、本発明の実施の形態に係る食器皿のＡ−Ａ断面図であり、図１（ｂ）は、本発明の実施の形態に係る食器皿の平面図である。
【００１７】
図１に示すように、本実施の形態に係る食器皿１は、食器皿１の底面の中央部分に、縦断面形状が略台形状である突起部１１が、底面の中央部分から放射状に３本設けられている。突起部１１の高さは、食器皿１の縁の高さよりも低いことが好ましい。突起部１１の高さが食器皿１の縁の高さよりも高くなると、場合によっては食べ残しが食器皿１の外側へ飛び出るおそれが生じる。
【００１８】
図２は、本発明の実施の形態に係る食器皿１の突起部１１のＢ−Ｂ断面における縦断面形状を示す例示図である。図２（ａ）に示すように、突起部１１の縦断面形状は台形状であることが好ましい。傾斜面２０に沿って食べ残しの料理をスプーン等で容易にすくうことができるからである。
【００１９】
もちろん、縦断面形状は台形状に限定されるものではない。例えば、図２（ｂ）に示すように、突起部１１の側部２１が湾曲しているような形状であっても良い。側部２１に沿って食べ残しの料理をスプーン等で容易にすくうことができるからである。
【００２０】
また、縦断面形状が三角形であっても良いし、図２（ｃ）に示すように、縦断面形状が三角形であり、しかも突起部１１の側部２２が湾曲しているような形状であっても良い。側部２２に沿って食べ残しの料理をスプーン等で容易にすくうことができるとともに、突起部１１の上面部２３に食べ残しが滞留することもない。
【００２１】
さらに、突起物１１は、底面の中央部分から放射状に複数設けられていれば良いので、図１に示すように３本に限定されるものではない。図３は、本発明の実施の形態に係る食器皿１の突起部の他の構成を示す平面図である。
【００２２】
図３（ａ）に示すように、突起物１１は、底面の中央部分から放射状に４本設けられていても良いし、図３（ｂ）に示すように、突起物１１は、底面の中央部分から放射状に２本設けられていても良い。
【００２３】
なお、食器皿１の洗浄を考慮して、突起部１１は着脱可能であることが好ましい。例えば突起部１１をプラスチックゴム等の弾性部材で形成し、食器皿１の底面に吸着することが可能にすることにより、食事をするときには食器皿１に付着し、食べ残しをなくすことができる。一方、洗浄時には取り外すことができ、食器皿１を洗い残しが生じることなく洗浄することが可能となる。
【００２４】
以上のように本実施の形態によれば、底面の中央部分に、縦断面形状が略台形状である突起部１１が、底面の中央部分から放射状に複数設けられているので、隣接する突起部１１の間に食べ残しを集めつつスプーン等ですくい上げることができ、食べ残しなく食事を進めることが可能となる。
【００２５】
なお、本発明は上記実施例に限定されるものではなく、本発明の趣旨の範囲内であれば多種の変更、改良等が可能である。例えば食器皿１の底面は平らでなくても良い。図４は、本発明の実施の形態に係る食器皿１の他の構成を示すＡ−Ａ断面図である。
【００２６】
図４に示すように、食器皿１の底面が平らではなく擂り鉢状であった場合、突起部１１を設けることによる食べ残しの減少効果だけでなく、料理が食器皿１の中央部分に集まるようになるので、より確実に料理をスプーン等ですくうことができ、より食べ残しを減少させることが可能となる。
【００２７】
また、突起部１１の高さは均一である必要はない。例えば図１の３方向に延びる突起部１１の高さをそれぞれ変えても良いし、それぞれ高さが変化しても良い。図５は、本発明の実施の形態に係る食器皿１の突起部１１の高さを示すＢ−Ｂ断面図である。
【００２８】
図５（ａ）が食器皿１の最も中央よりの縦断面図を、図５（ｂ）が食器皿１の中央から少し離れた位置での縦断面図を、図５（ｃ）が食器皿１の最も中央から離れた位置での縦断面図を、それぞれ示している。図５の例では、図５（ａ）から図５（ｃ）へと突起部１１の高さが次第に低くなっている。
【００２９】
このように突起部１１自体に傾斜をつけることにより、それぞれの位置で適切な料理をすくって食べることができるので、複数の料理が１つの食器皿１に盛り付けられている場合であっても、食べ残しを最小限にすることが可能となる。
【符号の説明】
【００３０】
１  食器皿
１１  突起部
２０、２１、２２  側部
【要約】      （修正有）【課題】スプーンの大きさに左右されず、確実に食べ残しを減少させることが可能な食器皿を提供する。【解決手段】食器皿１は、食器皿１の底面の中央部分に、縦断面形状が略台形状である突起部１１が、底面の中央部分から放射状に３本設けられている。突起部１１の高さは、食器皿１の縁の高さよりも低いことが好ましい。突起部１１の高さが食器皿１の縁の高さよりも高くなると、場合によっては食べ残しが食器皿１の外側へ飛び出るおそれが生じる。【選択図】図１【図１】
0006851055.tif 000002
【図２】
0006851055.tif 000003
【図３】
0006851055.tif 000004
【図４】
0006851055.tif 000005
【図５】
0006851055.tif 000006